(57)【特許請求の範囲】
【請求項１】
広帯域光から抽出した直線偏波光に、測定対象物の偏波モード分散よりも大きな偏波モード分散を与え、
該偏波モード分散が与えられた光の偏波面を回転させながら前記測定対象物の一端側に入射して該測定対象物の他端側から出射される光に含まれる直線偏波光のスペクトラムから偏波モード分散の最大および最小の値を求め、
該偏波面の回転よって得られた最大の偏波モード分散の値と最小の偏波モード分散の値との差に基づいて、前記測定対象物の偏波モード分散の値を算出することを特徴とする偏波モード分散測定方法。
【請求項２】
広帯域光から抽出した直線偏波光に、測定対象物の偏波モード分散よりも大きくその値が既知の偏波モード分散を与え、
該既知の偏波モード分散が与えられた光の偏波面を回転させながら前記測定対象物の一端側に入射して該測定対象物の他端側から出射される光に含まれる直線偏波光のスペクトラムから偏波モード分散の最大の値を求め、
該偏波面の回転よって得られた最大の偏波モード分散の値と前記既知の偏波モード分散の値と差を、前記測定対象物の偏波モード分散の値として算出することを特徴とする偏波モード分散測定方法。
【請求項３】
広帯域光から抽出した直線偏波光に、測定対象物の偏波モード分散よりも大きくその値が既知の偏波モード分散を与え、
該既知の偏波モード分散が与えられた光の偏波面を回転させながら前記測定対象物の一端側に入射して該測定対象物の他端側から出射される光に含まれる直線偏波光のスペクトラムから偏波モード分散の最小の値を求め、
該偏波面の回転よって得られた最小の偏波モード分散の値と前記既知の偏波モード分散の値と差を、前記測定対象物の偏波モード分散の値として算出することを特徴とする偏波モード分散測定方法。
【請求項４】
広帯域光源（２１）の出射光から第１偏光子（２２）によって抽出した直線偏波光を測定対象物（１）の一端側に入射し、該測定対象物の他端側から出射される光から第２偏光子（２５）によって抽出した直線偏波光のスペクトラムを検出し、該検出したスペクトラムに基づいて前記測定対象物の偏波モード分散の値を求める偏波モード分散測定システムにおいて、
前記第１偏光子と前記測定対象物の一端側の間に、
前記測定対象物の偏波モード分散より大きい偏波モード分散の値を有し、前記第１偏光子によって抽出された直線偏波光を一端側で受けて他端側から出射させる基準物（２３）と、
前記基準物から出射された光の偏波面を任意に回転させて測定対象物の一端側に入射する偏波面回転子（２４）とを設けたことを特徴とする偏波モード分散測定システム。
【発明の詳細な説明】
【０００１】
【発明の属する技術分野】
本発明は、光学デバイスの偏波モード分散を高精度に測定するための技術に関する。
【０００２】
【従来の技術】
光学デバイスのうち、例えば光ファイバの屈折率は偏波方向によって一様でなく、この偏波方向の違いによる屈折率の差によってその光ファイバを伝送する光の偏波方向に群遅延時間差が生じ、光パルス等を入射したときに、出力端での光パルス幅が広がってしまう。
【０００３】
この現象は偏波モード分散（ＰＭＤ）と呼ばれ、長距離、高速の光伝送においてシステムの性能を決定する重要な項目である。特に、現在全世界で主流をなしている１．３μｍゼロ分散ファイバを使用して、１．５５μｍの光伝送を行う場合や、光増幅器を用いた波長多重システムおよび高速伝送（〜Ｇｂｉｔ／ｓ）長距離光海底ケーブルシステム等においては、伝播距離を著しく制限する重要な問題となる。
【０００４】
このため、光伝送システム等を構成する場合、そのシステムに使用される光ファイバを始めとする光デバイスの偏波モード分散の程度を予め測定しておく必要がある。
【０００５】
この偏波モード分散を測定する方法としては、従来から、時間領域における干渉法、周波数領域における固定アナライザ法、偏光解析法等があるが、構成が単純のわりに精度が高い固定アナライザ法が広く利用されている。
【０００６】
図６は、この固定アナライザ法を用いて偏波モード分散を測定するための従来の測定システムを示している。
【０００７】
この測定システムでは、広帯域光源１１の出射光から特定の偏光方向の直線偏波光を第１偏光子１２によって抽出して測定対象物１の一端側に入射し、測定対象物１の他端側からの出射光から、第１偏光子１２と同一の偏光方向の直線偏波光を第２偏光子１３によって抽出して光スペクトラムアナライザ１４に入射する。
【０００８】
ここで、測定対象物１に入射する直線偏波光の偏波方向は、測定対象物１の入射面をＸＹ平面とすると、Ｘ軸（またはＹ軸）に対して４５度の角度となるように第１偏光子１２を設定し、第２偏光子１３もこの第１偏光子１２の向きに合わせる。
【０００９】
測定対象物１に入射された直線偏波光のＸ軸成分の通過速度とＹ軸成分の通過速度は、測定対象物１のＸ軸に沿った部分の屈折率とＹ軸に沿った部分の屈折率の違いによって同一とならない。
【００１０】
例えば、図７の（ａ）のようにある波長λａの直線偏波光が測定対象物１に入射されて、そのＹ軸成分がＸ軸成分に対して２πだけ遅れる（あるいは進む）と、測定対象物１から出射される波長λａの偏波方向は入射状態と同一になるため、この波長λａの光は第２偏光子１３を少ない損失で通過する。
【００１１】
また、図７の（ｂ）のようにある波長λｂの直線偏波光が測定対象物１に入射されて、そのＹ軸成分がＸ軸成分に対してπだけ遅れる（あるいは進む）と、測定対象物１から出射される波長λｂの偏波方向は、第２偏光子１３が抽出する偏波方向に対して直交するため、この波長λａの光は第２偏光子１３で大きく減衰されてほとんど通過できない。
【００１２】
この現象は、測定対象物１のＸ軸方向とＹ軸方向の屈折率の違いに起因する遅延時間差によって生じ、この遅延時間差は通過する光の波長に対して連続性をもっているため、第２偏光子１３を通過する光の強度は波長の変化に対して一定の周期で変化することになり、光スペクトラムアナライザ１４には、図８のようにレベルが周期的に変動するスペクトラム波形が表示される。
【００１３】
固定アナライザ法は、このスペクトラム波形の隣り合うピーク間（またはボトム間）の波長間隔を位相差２πとして、最初のピーク波長λ１と最後のピーク波長λ２とを用いて、ＰＭＤの程度を示す微分群遅延時間（これをＰＭＤ値という）を、次式によって算出する。
【００１４】
Δτ＝ｋ（ｎ−１）・λ１・λ２／（Ｃ・Δλ）
【００１５】
ここで、ｋはモード結合係数、Ｃは光速、ｎはピーク数、Δλ＝λ１−λ２である。なお、モード結合係数ｋは、測定対象物１を通過する光のＸ軸成分とＹ軸成分の間でのモード間の結合状態によって決まる１以下の値であり、光路長が格別長いもので無ければｋ＝１とすることができる。
【００１６】
【発明が解決しようとする課題】
上記した従来のＰＭＤ測定システムでは、その原理上光スペクトラムアナライザ１４に表示されるスペクトラムのピークが最低２つなければＰＭＤ値の算出が行えない。
【００１７】
つまり、ｎ＝２でΔλが最大の時、即ち、光源の帯域内で２つのピーク（またはボトム）が存在するときまでが測定限界となる。したがって、広帯域光源の帯域幅により測定限界が左右される。
【００１８】
実際に固定アナライザで使用可能な帯域幅（半値幅）は、２００ｎｍ程度までであり、１５００ｎｍ帯でのＰＭＤの測定限界は、Δτ＝５０×１０−１２（秒）になるため、これ以下のＰＭＤ値を求めるためには、構成が複雑な他の方法（周波数領域における偏光解析法や時間領域における干渉法）を用いなければならなかった。
【００１９】
本発明は、この問題を解決して、固定アナライザ法による簡単な構成で、より小さいＰＭＤ値を求めることができる偏波モード分散測定方法および偏波モード分散測定システムを提供することを目的としている。
【００２０】
【課題を解決するための手段】
前記目的を達成するために、本発明の請求項１の偏波モード分散測定方法は、
広帯域光から抽出した直線偏波光に、測定対象物の偏波モード分散よりも大きな偏波モード分散を与え、
該偏波モード分散が与えられた光の偏波面を回転させながら前記測定対象物の一端側に入射して該測定対象物の他端側から出射される光に含まれる直線偏波光のスペクトラムから偏波モード分散の最大および最小の値を求め、
該偏波面の回転よって得られた最大の偏波モード分散の値と最小の偏波モード分散の値との差に基づいて、前記測定対象物の偏波モード分散の値を算出することを特徴としている。
【００２１】
また、本発明の請求項２の偏波モード分散測定方法は、
広帯域光から抽出した直線偏波光に、測定対象物の偏波モード分散よりも大きくその値が既知の偏波モード分散を与え、
該既知の偏波モード分散が与えられた光の偏波面を回転させながら前記測定対象物の一端側に入射して該測定対象物の他端側から出射される光に含まれる直線偏波光のスペクトラムから偏波モード分散の最大の値を求め、
該偏波面の回転よって得られた最大の偏波モード分散の値と前記既知の偏波モード分散の値と差を、前記測定対象物の偏波モード分散の値として算出することを特徴としている。
【００２２】
また、本発明の請求項３の偏波モード分散測定方法は、
広帯域光から抽出した直線偏波光に、測定対象物の偏波モード分散よりも大きくその値が既知の偏波モード分散を与え、
該既知の偏波モード分散が与えられた光の偏波面を回転させながら前記測定対象物の一端側に入射して該測定対象物の他端側から出射される光に含まれる直線偏波光のスペクトラムから偏波モード分散の最小の値を求め、
該偏波面の回転よって得られた最小の偏波モード分散の値と前記既知の偏波モード分散の値と差を、前記測定対象物の偏波モード分散の値として算出することを特徴としている。
【００２３】
また、本発明の請求項４の偏波モード分散測定システムは、
広帯域光源（２１）の出射光から第１偏光子（２２）によって抽出した直線偏波光を測定対象物（１）の一端側に入射し、該測定対象物の他端側から出射される光から第２偏光子（２５）によって抽出した直線偏波光のスペクトラムを検出し、該検出したスペクトラムに基づいて前記測定対象物の偏波モード分散の値を求める偏波モード分散測定システムにおいて、
前記第１偏光子と前記測定対象物の一端側の間に、
前記測定対象物の偏波モード分散より大きい偏波モード分散の値を有し、前記第１偏光子によって抽出された直線偏波光を一端側で受けて他端側から出射させる基準物（２３）と、
前記基準物から出射された光の偏波面を任意に回転させて測定対象物の一端側に入射する偏波面回転子（２４）とを設けたことを特徴としている。
【００２４】
【発明の実施の形態】
以下、図面に基づいて本発明の実施の形態を説明する。
図１は、本発明の実施形態の偏波モード分散測定システムを示している。
【００２５】
図１において、広帯域光源２１は白色ランプやＳＬＤ（スーパールミネッセンスダイオード）等によって構成され、測定対象物１が扱う光の波長領域において、ほぼ一様なスペクトラムを有している。
【００２６】
この広帯域光源２１から出射された光は第１偏光子２２に入射される。第１偏光子２２は、広帯域光源２１の出射光から偏波方向が一定の直線偏波光を抽出して基準物２３の一端側に入射する。
【００２７】
この基準物２３は、測定対象物１より大きいＰＭＤ値（微分群遅延時間）を有するものであり、例えば意図的に方向による屈折率の差が大きくなるように製造した所定長さのファイバ（ＰＡＮＤＡファイバと呼ばれる）が用いられる。
【００２８】
基準物２３の他端側には偏波面回転子２４が設けられている。この偏波面回転子２４は、基準物２３から出射された光の偏波面を任意角回転させて、測定対象物１の一端側に入射する。
【００２９】
測定対象物１の他端側から出射された光は、第２偏光子２５に入射される。第２偏光子２５は、測定対象物１から出射された光から偏波方向が一定の直線偏波光を抽出して光スペクトラムアナライザ２６に出力する。
【００３０】
光スペクトラムアナライザ２６は、第２偏光子２５から出射された光のスペクトラムを画面に表示する。
【００３１】
そして、この測定システムでは、前記したように、光スペクトラムアナライザ２６に表示されたスペクトラム波形の隣り合うピーク間（またはボトム間）の波長間隔を位相差２πとして、最初のピーク波長λ１と最後のピーク波長λ２とを用いて、ＰＭＤ値Ｐ（微分群遅延時間Δτ）を次式（１）によって算出する。
【００３２】
Ｐ＝ｋ（ｎ−１）・λ１・λ２／（Ｃ・Δλ）……（１）
【００３３】
ここで、ｋはモード結合係数、Ｃは光速、ｎはピーク数、Δλ＝λ１−λ２である。なお、モード結合係数ｋは、測定対象物１を通過する光のＸ軸成分とＹ軸成分の間でのモード間の結合状態によって決まる１以下の値であり、光路長が格別長いもので無ければｋ＝１とすることができる。
【００３４】
このように、第１偏光子２２と測定対象物１の一端側との間に、基準物２３と偏波面回転子２４を挿入したシステムでは、第１偏光子２２によって抽出された直線偏波光に対して測定対象物１のＰＭＤ値より大きな偏波モード分散が与えられ、その偏波モード分散が与えられた光の偏波面が偏波面回転子２４によって回転されて測定対象物１に入射される。
【００３５】
このため、偏波面回転子２４による偏波面の回転によって、測定対象物１に入射される光の偏波方向が変化し、これに応じて光スペクトラムアナライザ２６に表示されるスペクトラムも変化し、このスペクトラムに基づいて算出されるＰＭＤ値も変化する。
【００３６】
ここで、偏波面回転子２４のＰＭＤ値が無視できる程小さいとすると、基準物２３による光の位相変化の方向と測定対象物１による位相変化の方向とが一致するように偏波面回転子２４の角度が設定されたときに、光スペクトラムアナライザ２６に表示されるスペクトラムから得られるＰＭＤ値は最大Ｐｍａｘとなり、この最大のＰＭＤ値は基準物２３のＰＭＤ値と測定対象物１のＰＭＤ値の和に相当している。
【００３７】
この最大値Ｐｍａｘは、上記条件が設定されたときの光スペクトラムアナライザに表示されるスペクトラム分布から、λ１、λ２、ｎ、Δλを求め、これらの値と既知の光速Ｃとを前記式（１）に代入して求める。
【００３８】
なお、λ１、λ２を求めるにあたっては、隣り合う２つのピーク値にユーザがマーカを付すことにより、そのときの波長をカウントしてそのときの値が出力されるように構成されている。
【００３９】
また、基準物２３による光の位相変化の方向と測定対象物１による位相変化の方向とが反対となるように偏波面回転子２４の角度が設定されたときに、光スペクトラムアナライザ２６に表示されるスペクトラムから得られるＰＭＤ値は最小Ｐｍｉｎとなり、この最小のＰＭＤ値は基準物２３のＰＭＤ値から測定対象物１のＰＭＤ値を減じた値に相当している。
【００４０】
この最小値Ｐｍｉｎは、上記条件が設定されたときの光スペクトラムアナライザに表示されるスペクトラム分布から、λ１、λ２、ｎ、Δλを求め、これらの値と既知の光速Ｃとを前記式（１）に代入して求める。
【００４１】
したがって、偏波面回転子２４を回転して最大のＰＭＤ値または最小のＰＭＤ値を求めれば、測定対象物１のＰＭＤ値を求めることができる。
【００４２】
即ち、基準物２３のＰＭＤ値をＰｒ、測定対象物１のＰＭＤ値をＰｘ、偏波面回転子２４の回転によって得られる最大のＰＭＤ値をＰｍａｘとすれば、
Ｐｍａｘ＝Ｐｒ＋Ｐｘ
となり、基準物２３のＰＭＤ値Ｐｒが既知であれば、
Ｐｘ＝Ｐｍａｘ−Ｐｒ……（２）
の演算によって、測定対象物１のＰＭＤ値Ｐｘを求めることができる。
【００４３】
この場合、図２のフローチャートに示しているように、第１偏光子２２と第２偏光子２５との間に基準物２３を接続して、基準物２３のＰＭＤ値Ｐｒを求め、次に基準物２３と第２偏光子２５との間に偏波面回転子２４および測定対象物１を挿入して、偏波面回転子２４を回転させて最大のＰＭＤ値Ｐｍａｘを求め、前記（２）式の差演算によって測定対象物１のＰＭＤ値Ｐｘを求める。
【００４４】
また、偏波面回転子２４の回転によって得られる最小のＰＭＤ値をＰｍｉｎとすれば、
Ｐｍｉｎ＝Ｐｒ−Ｐｘ
となり、基準物２３のＰＭＤ値Ｐｒが既知であれば、
Ｐｘ＝Ｐｒ−Ｐｍｉｎ……（３）
の演算によって、測定対象物１のＰＭＤ値Ｐｘを求めることができる。
【００４５】
この場合、図３のフローチャートに示しているように、第１偏光子２２と第２偏光子２５との間に基準物２３を接続して、基準物２３のＰＭＤ値Ｐｒを求め、次に基準物２３と第２偏光子２５との間に偏波面回転子２４および測定対象物１を挿入して、偏波面回転子２４を回転させて最小のＰＭＤ値Ｐｍｉｎを求め、前記（３）式の差演算によって測定対象物１のＰＭＤ値Ｐｘを求める。
【００４６】
また、上式（２）、（３）から、
Ｐｍａｘ−Ｐｍｉｎ＝２Ｐｘ
となるから、
Ｐｘ＝（Ｐｍａｘ−Ｐｍｉｎ）／２……（４）
の演算によって測定対象物１のＰＭＤ値Ｐｘを求めることができる。
【００４７】
この場合、図４のフローチャートに示しているように、第１偏光子２２と第２偏光子２５との間に基準物２３、偏波面回転子２４および測定対象物１を挿入して、偏波面回転子２４を回転させて最大のＰＭＤ値Ｐｍａｘと最小のＰＭＤ値Ｐｍｉｎとを求め、前記（４）式の演算によって測定対象物１のＰＭＤ値Ｐｘを求める。
【００４８】
この方法では、基準物２３のＰＭＤ値Ｐｒを求める必要がないので、より簡単な処理で測定対象物１のＰＭＤ値Ｐｘを求めることができる。
【００４９】
上記測定方法による測定対象物１のＰＭＤ値Ｐｘの理論上の測定限界は、基準物２３のＰＭＤ値Ｐｒより小さいという条件の基で無限となる。
【００５０】
即ち、このシステムで光スペクトラムアナライザ２６のスペクトラムから求めることができるＰＭＤ値の下限Ｌは前記したように５０×１０−１２（秒）程度であるから、測定によって得られる最小のＰＭＤ値Ｐｍｉｎはこの下限Ｌ以上の値である。
【００５１】
ところがＰＭＤ値ＰｍｉｎはＰｒ−Ｐｘに等しいので、Ｐｒ−Ｐｘが下限Ｌ以上となることが必要である。この条件は、測定対象物１のＰＭＤ値Ｐｘの下限値を制限しない。例えばＰＭＤ値Ｐｘが５×１０−１２（秒）と下限Ｌより小さくても、基準物２３のＰＭＤ値Ｐｒが５５×１０−１２（秒）より大きければ、ＰＭＤ値Ｐｍｉｎは下限値Ｌ以上となる。したがって、測定対象物１のＰＭＤ値Ｐｘの理論上の測定限界は無くなり、従来の測定システムの測定限界Ｌより小さいＰＭＤ値の測定対象物１を正確に測定できる。
【００５２】
このように、実施形態の偏波分散モード測定方法では、広帯域光から抽出した直線偏波光に測定対象物１の偏波モード分散の値よりも大きな偏波モード分散を与え、この偏波モード分散が与えられた光の偏波面を回転させながら測定対象物１の一端側に入射して測定対象物１の他端側から出射される光に含まれる直線偏波光のスペクトラムから偏波モード分散の値を求め、偏波面を回転することによって得られる最大の偏波モード分散の値Ｐｍａｘと最小の偏波モード分散の値Ｐｍｉｎの差の１／２、あるいは最大の偏波モード分散の値Ｐｍａｘと基準物２３の偏波モード分散の値Ｐｒの差、あるいは最小の偏波モード分散の値Ｐｍｉｎと基準物２３の偏波モード分散の値Ｐｒの差を、測定対象物１の偏波モード分散の値Ｐｘとして算出している。
【００５３】
このため、従来のシステムの測定限界より格段に小さなＰＭＤ値の測定対象物１を正確に測定することができる。
【００５４】
また、実施形態の偏波分散モード測定システムでは、広帯域光源２１の出射光から第１偏光子２２によって抽出した直線偏波光を測定対象物１の一端側に入射し、測定対象物１の他端側から出射される光から第２偏光子２５によって抽出した直線偏波光のスペクトラムを光スペクトラムアナライザ２６によって検出し、検出したスペクトラムに基づいて測定対象物１の偏波モード分散の値を求める偏波モード分散測定システムにおいて、第１偏光子２２と測定対象物１の一端側の間に、測定対象物１の偏波モード分散の値より大きい偏波モード分散の値を有し、第１偏光子２２によって抽出された直線偏波光を一端側で受けて他端側から出射させる基準物２３と、基準物２３から出射された光の偏波面を任意に回転させて測定対象物１の一端側に入射する偏波面回転子２４とを設けている。
【００５５】
このため、偏波面回転子２４によって、基準物２３のＰＭＤ値と測定対象物１のＰＭＤ値の合計に相当する最大ＰＭＤ値、基準物２３のＰＭＤ値から測定対象物１のＰＭＤ値を減じた値に相当する最小ＰＭＤ値を求めることができ、これらの値から、たとえ小さいＰＭＤ値の測定対象物１であっても、そのＰＭＤ値を正確に求めことができる。
【００５６】
なお、前記説明では、第２偏光子２５から抽出された光を光スペクトラムアナライザ２６に入力し、その表示スペクトラムからＰＭＤ値を求めているが、図５に示す測定システムのように、第２偏光子２５から抽出された光を受けて、その光のスペクトラムを自動的に分析して隣り合うスペクトラムのピーク間（またはボトム間）の波長間隔と、最初のピーク波長λ１と最後のピーク波長λ２とを検出するスペクトラム検出手段３０を用け、さらに、このスペクトラム検出手段３０によって検出された値から次式、
Ｐ＝ｋ（ｎ−１）・λ１・λ２／（Ｃ・Δλ）
の演算を自動的に行ってＰＭＤ値を算出するＰＭＤ算出手段３１とを設けることによって、測定をより効率的に行える。
【００５７】
【発明の効果】
以上説明したように、本発明の偏波モード分散測定方法は、広帯域光から抽出した直線偏波光に測定対象物の偏波モード分散の値よりも大きな偏波モード分散を与え、この偏波モード分散が与えられた光の偏波面を回転させながら測定対象物の一端側に入射して測定対象物の他端側から出射される光に含まれる直線偏波光のスペクトラムから偏波モード分散の値を求め、偏波面を回転することによって得られる最大の偏波モード分散の値と最小の偏波モード分散の値との差に基づく値、あるいは最大の偏波モード分散の値と基準物の偏波モード分散の値の差、あるいは最小の偏波モード分散の値と基準物の偏波モード分散の値の差を、測定対象物の偏波モード分散の値として算出している。
【００５８】
このため、測定対象物の偏波モード分散の値を従来のシステムの測定限界より格段に小さい値まで正確に測定することができる。
【００５９】
また、本発明の偏波分散モード測定システムでは、広帯域光源の出射光から第１偏光子によって抽出した直線偏波光を測定対象物の一端側に入射し、測定対象物の他端側から出射される光から第２偏光子によって抽出した直線偏波光のスペクトラムを検出し、検出したスペクトラムに基づいて測定対象物の偏波モード分散の値を求める偏波モード分散測定システムにおいて、第１偏光子と測定対象物の一端側の間に、測定対象物より大きい偏波モード分散の値を有し、第１偏光子によって抽出された直線偏波光を一端側で受けて他端側から出射させる基準物と、基準物から出射された光の偏波面を任意に回転させて測定対象物の一端側に入射する偏波面回転子とを設けている。
【００６０】
このため、偏波面回転子によって、基準物の偏波モード分散の値と測定対象物の偏波モード分散の値の合計に相当する最大の偏波モード分散の値、基準物の偏波モード分散の値から測定対象物の偏波モード分散の値を減じた値に相当する最小の偏波モード分散の値を求めることができ、これらの値から、測定対象物の偏波モード分散の値を従来のシステムの測定限界より格段に小さい値まで正確に測定することができる。
【図面の簡単な説明】
【図１】本発明の実施形態の偏波モード分散測定システムの構成を示す図
【図２】本発明の実施形態の偏波モード分散測定方法の一例を示すフローチャート
【図３】本発明の実施形態の偏波モード分散測定方法の一例を示すフローチャート
【図４】本発明の実施形態の偏波モード分散測定方法の一例を示すフローチャート
【図５】ＰＭＤの演算を自動化した実施形態の偏波モード分散測定システムの構成を示す図
【図６】従来システムの構成を示す図
【図７】屈折率の違いによる光の伝搬の様子を示す図
【図８】スペクトラム波形の一例を示す図
【符号の説明】
１  測定対象物
２１  広帯域光源
２２  第１偏光子
２３  基準物
２４  偏波面回転子
２５  第２偏光子
２６  光スペクトラムアナライザ
３０  スペクトラム検出手段
３１  ＰＭＤ算出手段
【図１】
0003734667.tif 000002
【図２】
0003734667.tif 000003
【図３】
0003734667.tif 000004
【図４】
0003734667.tif 000005
【図５】
0003734667.tif 000006
【図６】
0003734667.tif 000007
【図７】
0003734667.tif 000008
【図８】
0003734667.tif 000009